(57)【要約】【課題】極めて簡易な構成で容易に二体の挟持半体を重合状態に保持することができる収納性に優れたトングを提供すること。【解決手段】一方の挟持半体３ａの基端部に他方の挟持半体３ｂの基端部を反転回動自在に枢着し、この挟持半体３ａ，３ｂの先端部の対向挟持部２を離間状態に保持する突き当り保持部４を基端部に設けて、この挟持半体３ａ，３ｂの操作部１を押圧操作して対向挟持部２同士を接近させた際、離反方向の弾性付勢が生じるように構成すると共に、この一方の挟持半体３ａに対して他方の挟持半体３ｂを反転回動させた際、一方の挟持半体３ａの反対側に他方の挟持半体３ｂを重合配置し対向挟持部２が離間状態とならずに揃い収納し得るように構成したトング。【選択図】図３
2012231948.tif 000002
【特許請求の範囲】
【請求項１】
離反方向の弾性付勢に抗して操作部を押圧操作することで離間状態の対向挟持部を接近させて挟持するトングであって、一方の挟持半体の基端部に他方の挟持半体の基端部を反転回動自在に枢着し、この挟持半体の先端部の対向挟持部を離間状態に保持する突き当り保持部を前記基端部に設けて、この挟持半体の前記操作部を押圧操作して前記対向挟持部同士を接近させた際、前記離反方向の弾性付勢が生じるように構成すると共に、この一方の挟持半体に対して他方の挟持半体を反転回動させた際、一方の挟持半体の反対側に他方の挟持半体を重合配置し前記対向挟持部が前記離間状態とならずに揃い収納し得るように構成したことを特徴とするトング。
【請求項２】
前記一方の挟持半体に対して前記他方の挟持半体を反転回動させた際、前記一方の挟持半体の反対側に前記他方の挟持半体を重合配置し、この一方の挟持半体の先端部の前記対向挟持部の背面に前記他方の挟持半体の先端部の前記対向挟持部の背面が当接した揃い収納状態となるように構成して、離反方向の弾性付勢に抗して前記操作部を押圧操作することで前記離間状態の対向挟持部を接近させる離間使用状態と、前記一方の挟持半体に対して他方の挟持半体を反転させた前記揃い収納状態とに回動切り替え自在に構成したことを特徴とする請求項１記載のトング。
【請求項３】
前記一方の挟持半体の基端部と他方の挟持半体の基端部とを反転回動自在に枢着した記枢着部に設けた回動軸より先端側の一方の挟持半体に前記突き当り保持部を構成する当接部を設け、他方の挟持半体にこの当接部が当接する受け部を設けた構成としたことを特徴とする請求項１，２のいずれか１項に記載のトング。
【請求項４】
前記一方の挟持半体の基端部に前記回動軸を設け、前記他方の挟持半体の基端部に軸受部を設け、前記回動軸を前記軸受部に嵌合して前記枢着部を構成したことを特徴とする請求項３記載のトング。
【請求項５】
前記回動軸と前記軸受部とを嵌脱自在に枢着した構成としたことを特徴とする請求項４記載のトング。
【請求項６】
前記挟持半体の夫々は、合成樹脂を用いて一体成形した構成とし、この合成樹脂で一体成形した二体の前記挟持半体のみで構成したことを特徴とする請求項１〜５のいずれか１項に記載のトング。
【発明の詳細な説明】
【技術分野】
【０００１】
本発明は、例えば、食品を調理したり取り分けるために食品を挟持したり、炭や薪を取り扱う際に使用したり、或いは、ごみ拾い時のごみを拾い上げるために使用したりするトングに関するものである。
【背景技術】
【０００２】
トングは、二体の挟持半体が基端部で連設され、先端側の対向挟持部が離間状態となるＶ字状に構成されたものであり、このＶ字状に開いた二体の挟持半体は、操作部を押圧操作して先端側の対向挟持部を接近させると、この対向挟持部の離反方向に弾性付勢が生じる構成であるので、押圧操作しない状態では常に先端部側が離間状態になっていて、収納時に嵩張って収納しにくいという問題があった。
【０００３】
このような問題を解決するために、不使用時は先端側の対向挟持部を閉じ状態にして操作部に環状リングを被嵌して強制的に二体の挟持半体を開き止め状態に保持して収納し易い状態を保持することができるものが提案されている。
【先行技術文献】
【特許文献】
【０００４】
【特許文献１】実用新案登録第３０３０４９７号公報
【発明の概要】
【発明が解決しようとする課題】
【０００５】
しかしながら、上記のような環状リングを採用した場合、使用時の押圧操作時に開き止め用の環状リングが勝手に移動して開き止め状態になってしまうことがあり、そのため、一々、環状リングを抑えながら操作しなければならない煩わしさがあったり、また、紛失し易く保管管理も面倒なものであった。
【０００６】
そこで、本発明は、環状リングで二体の挟持半体を強制的に開き止めすることなく、極めて簡易な構成で容易に二体の挟持半体を重合状態に保持することができる収納性に優れたトングを提供することを目的とする。
【課題を解決するための手段】
【０００７】
添付図面を参照して本発明の要旨を説明する。
【０００８】
離反方向の弾性付勢に抗して操作部１を押圧操作することで離間状態の対向挟持部２を接近させて挟持するトングであって、一方の挟持半体３ａの基端部に他方の挟持半体３ｂの基端部を反転回動自在に枢着し、この挟持半体３ａ，３ｂの先端部の対向挟持部２を離間状態に保持する突き当り保持部４を前記基端部に設けて、この挟持半体３ａ，３ｂの前記操作部１を押圧操作して前記対向挟持部２同士を接近させた際、前記離反方向の弾性付勢が生じるように構成すると共に、この一方の挟持半体３ａに対して他方の挟持半体３ｂを反転回動させた際、一方の挟持半体３ａの反対側に他方の挟持半体３ｂを重合配置し前記対向挟持部２が前記離間状態とならずに揃い収納し得るように構成したことを特徴とするトングに係るものである。
【０００９】
また、前記一方の挟持半体３ａに対して前記他方の挟持半体３ｂを反転回動させた際、前記一方の挟持半体３ａの反対側に前記他方の挟持半体３ｂを重合配置し、この一方の挟持半体の先端部の前記対向挟持部２の背面に前記他方の挟持半体３ｂの先端部の前記対向挟持部２の背面が当接した揃い収納状態となるように構成して、離反方向の弾性付勢に抗して前記操作部１を押圧操作することで前記離間状態の対向挟持部２を接近させる離間使用状態と、前記一方の挟持半体３ａに対して他方の挟持半体３ｂを反転させた前記揃い収納状態とに回動切り替え自在に構成したことを特徴とする請求項１記載のトングに係るものである。
【００１０】
また、前記一方の挟持半体３ａの基端部と他方の挟持半体３ｂの基端部とを反転回動自在に枢着した記枢着部５に設けた回動軸６より先端側の一方の挟持半体３ａに前記突き当り保持部４を構成する当接部４ａを設け、他方の挟持半体３ｂにこの当接部４ａが当接する受け部４ｂを設けた構成としたことを特徴とする請求項１，２のいずれか１項に記載のトングに係るものである。
【００１１】
また、前記一方の挟持半体３ａの基端部に前記回動軸６を設け、前記他方の挟持半体３ｂの基端部に軸受部７を設け、前記回動軸６を前記軸受部７に嵌合して前記枢着部５を構成したことを特徴とする請求項３記載のトングに係るものである。
【００１２】
また、前記回動軸６と前記軸受部７とを嵌脱自在に枢着したことを特徴とする請求項４記載のトングに係るものである。
【００１３】
また、前記挟持半体３ａ，３ｂの夫々は、合成樹脂を用いて一体成形した構成とし、この合成樹脂で一体成形した二体の前記挟持半体３ａ，３ｂのみで構成したことを特徴とする請求項１〜５のいずれか１項に記載のトングに係るものである。
【発明の効果】
【００１４】
本発明は上述のように構成したから、一方の挟持半体に対して他方の挟持半体を反転回動させるだけで、押圧操作しなくとも一方の挟持半体と他方の挟持半体とを重合配置した状態にすることができ、しかも、この重合配置した状態は、対向挟持部が使用時のような離間状態とならずに二体の挟持半体が並設して揃った状態が保持されるので、収納時に嵩張ることなくコンパクトに収納場所を取らず収納できる収納性に優れたトングとなる。
【図面の簡単な説明】
【００１５】
【図１】本実施例の離間使用状態を示す斜視図である。
【図２】本実施例の離間使用状態を示す説明正面図である。
【図３】本実施例の揃い収納状態を示す斜視図である。
【図４】本実施例の揃い収納状態を示す説明正面図である。
【図５】本実施例の離間使用状態時の挟持半体の基端側を示す説明断面図である。
【図６】本実施例の揃い収納状態時の挟持半体の基端側を示す説明断面図である。
【発明を実施するための形態】
【００１６】
好適と考える本発明の実施形態を、図面に基づいて本発明の作用を示して簡単に説明する。
【００１７】
本発明は、操作部１が力点、突き当り保持部４が支点、対向挟持部２が作用点となるてこの原理によって、操作部１を少ない操作量で先端部に設けた対向挟持部２を大きく移動させることができ、また、対向挟持部２が挟持する挟持力は、操作部１に押圧操作する際に加える押圧力よりも減少した力が伝達されるので、例えば、崩れやすいやわらかい食品を挟持する際にも、箸などを用いて挟持するよりも容易に挟持することができる。
【００１８】
また、収納時には、一方の挟持半体３ａに対して他方の挟持半体３ｂを反転回動させるだけで、一方の挟持半体３ａの反対側に他方の挟持半体３ｂが重合配置し、使用時のような先端部の対向挟持部２が離間状態とならずに揃い収納し得る状態、例えば、一方の挟持半体３ａの先端部の対向挟持部２の背面に他方の挟持半体３ｂの先端部の対向挟持部２の背面が当接した揃い収納状態となるので、収納状態がコンパクトな状態になり嵩張ることなく収納場所に場所を取らずに収納することができる。
【００１９】
しかも、この揃い収納状態は、一方の挟持半体３ａに対して他方の挟持半体３ｂを反転回動させることで、てこの原理の支点となる突き当り保持部４の突き当り状態が解除されてこの原理の支点がなくなることによって操作部１を押圧操作しても対向挟持部２が離間する離反方向の弾性付勢が生じない状態となるので、環状リングなどで開き止めをしなくても先端側の対向挟持部２が閉じた状態を保持することができるので、コンパクトな収納状態を保持する収納性に優れた画期的なトングとなる。
【実施例】
【００２０】
本発明の具体的な実施例について図面に基づいて説明する。
【００２１】
本実施例は、離反方向の弾性付勢に抗して操作部１を押圧操作することで離間状態の対向挟持部２を接近させて挟持するトングであって、一方の挟持半体３ａの基端部に他方の挟持半体３ｂの基端部を反転回動自在に枢着し、この挟持半体３ａ，３ｂの先端部の対向挟持部２を離間状態に保持する突き当り保持部４を前記基端部に設けて、この挟持半体３ａ，３ｂの前記操作部１を押圧操作して前記対向挟持部２同士を接近させた際、前記離反方向の弾性付勢が生じるように構成すると共に、この一方の挟持半体３ａに対して他方の挟持半体３ｂを反転回動させた際、一方の挟持半体３ａの反対側に他方の挟持半体３ｂを重合配置し前記対向挟持部２が前記離間状態とならずに揃い収納し得るように構成したトングである。
【００２２】
また、本実施例は、食材を調理する際にフライパンやグリル上の食材を裏返しにしたりこれら調理具から取り上げる際、或いは、大皿に盛られた調理品を小皿に取り分ける際などに用いる調理用具としてのトングに構成したものである。
【００２３】
具体的には、一方の挟持半体３ａは、先端部に対向挟持部２を設け、基端部に枢着部５を設け、この対向挟持部２と枢着部５との間に操作部１を設けた構成としている。
【００２４】
より具体的には、この一方の挟持半体３ａは合成樹脂製であり、対向挟持部２は、スプーン形状に形成した掬い部２ａに構成し、この掬い部２ａに構成した対向挟持部２の基端部に帯板状の操作部１を突設した構成としており、本実施例では、この一方の挟持半体３ａを一体成形した構成としている。
【００２５】
また、この一方の挟持半体３ａの帯板状の操作部１は、基端部に枢着部５を構成する回動軸６を軸支する軸支部８を突設した構成とし、より具体的には、この軸支部８は、先端部を鉛直方向に折曲した二体の軸支体８ａを、操作部１の基端部の左右端部から基端部側に水平対向状態に突設すると共に、この軸支体８ａの先端部が対向挟持部２の挟持面側に突出した構成とし、この水平対向状態に設けた軸支体８ａの挟持面側に突出した先端部に回動軸６を架設状態に設け、この回動軸６が操作部１の水平面よりも上方（他方の挟持半体３ｂ側）に位置するように構成している。
【００２６】
また更に、この回動軸６は、楕円形状に構成し、楕円の長径方向が操作部１の長手方向と平行となるようにこの回動軸６を軸支部８に設けた構成としている。
【００２７】
また、この軸支部８を構成する対向状態に設けた二体の軸支体８ａによって形成された基端側開口部９の操作部側縁部に突き当り保持部４を構成する当接部４ａを設け、後述する他方の挟持半体３ｂの操作部１の一部がこの基端側開口部９に嵌まり込んだ際に、この当接部４ａと他方の挟持半体３ｂに設けた受け部４ｂとが当接するように構成している。
【００２８】
尚、本実施例では、基端側開口部９の操作部側縁部を当接部４ａとした構成としているが、この当接部４ａは突起部を設けた構成としてもよく、本実施例における作用効果を発揮する構成であれば適宜採用し得るものとする。
【００２９】
また、この一方の挟持半体３ａの操作部１の基端側の背面に、他方の挟持半体３ｂの操作部１の基端側が嵌合する凹状溝部10を設けた構成としている。
【００３０】
この凹状溝部10は、基端部側ほど溝深さが深く、先端側に行くに連れ溝深さが徐々に浅くなるように底面を傾斜面にした構成としている。
【００３１】
また、他方の挟持半体３ｂは、一方の挟持半体３ａと同様に合成樹脂製であり、先端部に対向挟持部２を設け、基端部に枢着部５を設け、この対向挟持部２と枢着部５との間に操作部１を設けた構成とし、更に、これらを一体成形した構成としている。
【００３２】
より具体的には、対向挟持部２は、左右方向に複数の突起部を設けて魚の骨形状に形成した挟持部２ｂに構成し、この挟持部２ｂに構成した対向挟持部２の基端部に帯板状の操作部１を突設した構成としている。
【００３３】
また、この他方の挟持半体３ｂの帯板状の操作部１は、基端部に枢着部５を構成する軸受部７を設けた構成とし、より具体的には、この軸受部７は、帯板状の操作部１の基端部を対向挟持部２の挟持面と反対側、即ち、対向挟持部２の背面側に向けて折曲し、この折曲端部をＣ字状に形成した構成とし、更に、詳しくは、Ｃ字状に構成した軸受部７の開口部７ｂが対向挟持部２の背面方向に向いて開口した構成としている。
【００３４】
また、この軸受部７は、Ｃ字状に構成した際の開口部７ｂを介して上述した楕円形状に構成した回動軸６を嵌脱自在に枢着し得る構成としている。
【００３５】
また、この軸受部７の嵌合孔７ａは、楕円形状に構成した回動軸６の長径寸法よりも小径で、且つ楕円形状に構成した回動軸６の短径寸法よりも径大の円形にし、この軸受部７に回動軸６を嵌合し回動させた際に、回動軸６の長径方向がＣ字状に構成した軸受部７の開口部７ｂに位置する状態では回動抵抗が生じずにスムーズに回動し、この開口部７ｂ以外の位置では回動軸６の長径方向が軸受部７の嵌合孔７ａ内面に当接して回動抵抗を生じるように構成している。
【００３６】
本実施例では、対向挟持部２を離間状態とする離反方向の弾性付勢に抗して操作部１を押圧操作することで離間状態の対向挟持部２を接近させる離間使用状態、及び一方の挟持半体３ａに対して他方の挟持半体３ｂを反転回動させた揃い収納状態において、回動軸６の長径方向が軸受部７の嵌合孔７ａの内面に当接して回動抵抗が生じて一方の挟持半体３ａと他方の挟持半体３ｂとが容易に回動しないように構成して、この離間使用状態と揃い収納状態とを保持する構成としている。
【００３７】
また、この他方の挟持半体３ｂの操作部１は、枢着部５を設けた基端側の幅を、対向挟持部２を設けた先端側の幅に比して稍幅狭の寸法に設定しており、この幅狭な寸法に設定した基端側が、対向挟持部２を離間状態とする離反方向の弾性付勢に抗して操作部１を押圧操作することで離間状態の対向挟持部２を接近させる離間使用状態において、上述した一方の挟持半体３ａの基端側に設けた基端側開口部９に嵌まり込み、この他方の挟持半体３ｂの枢着部５よりも先端側に設けた受け部４ｂが一方の挟持半体３ａの当接部４ａと当接して突き当り保持部４を構成し、この離間使用状態におけるてこの原理の支点となるように構成している。
【００３８】
また更に、この他方の挟持半体３ｂの幅狭な寸法に設定した基端側は、一方の挟持半体３ａに対してこの他方の挟持半体３ｂを反転回動させた際に、上述した一方の挟持半体３ａの操作部１の基端側の背面に設けた凹状溝部10に嵌まり込み、一方の挟持半体３ａと他方の挟持半体３ｂとが重合配置し揃い収納状態となる前に、一方の挟持半体３ａの操作部１と他方の挟持半体３ｂの操作部１との背面同士が当接し得ない構成とし、一方の挟持半体３ａに対してこの他方の挟持半体３ｂを反転回動させた際に、一方の挟持半体の先端部の対向挟持部２の背面に他方の挟持半体３ｂの先端部の対向挟持部２の背面が当接した揃い収納状態となるコンパクトな収納状態に成り得る構成としている。
【００３９】
また、本実施例は、上述した通り、てこの原理を採用したものであり、本実施例におけるてこの原理は、操作部１を押圧操作することで突き当り保持部４を支点にして、この支点となる突き当り保持部４と力点となる操作部１との間で撓み変形が生じて先端部の対向挟持部２が互いに接近するものである。
【００４０】
そこで、本実施例では、挟持半体３ａ，３ｂの支点となる突き当り保持部４と力点となる操作部１との間の撓み変形が生じる位置に凹部11を形成して、この撓み変形が生じる部位の厚みを薄くすることで、より操作部１と突き当り保持部４との間を撓み易い形状に構成している。
【００４１】
本実施例は、上述のように構成したので、次のような作用・効果を有する。
【００４２】
一方の挟持半体３ａの基端部に設けた回動軸６と他方の挟持半体３ｂの基端部に設けた軸受部７とを枢着することで対向挟持部２が離間状態にあるＶ字状の離間使用状態となり、具体的には、操作部１が力点、突き当り保持部４が支点、対向挟持部２が作用点となるてこの原理によって、操作部１を少ない操作量で先端部に設けた対向挟持部２を大きく移動させることができ、また、対向挟持部２が挟持する挟持力は、操作部１に押圧操作する際に加える押圧力よりも減少した力が伝達されるので、例えば、崩れ易いやわらかい食品を挟持する際にも、箸などを用いて挟持するよりも容易に挟持することができる。
【００４３】
更に、この離間使用状態から、一方の挟持半体３ａに対して他方の挟持半体３ｂを反転回動させるだけで、一方の挟持半体３ａの反対側に他方の挟持半体３ｂが重合配置し、使用時のような先端部の対向挟持部２が離間状態とならずに揃い収納し得る状態、具体的には、一方の挟持半体３ａの先端部の対向挟持部２の背面に他方の挟持半体３ｂの先端部の対向挟持部２の背面が当接した揃い収納状態となるので、収納状態がコンパクトな状態になり嵩張ることなく収納場所に場所を取らずに収納することができる。
【００４４】
しかも、この揃い収納状態は、一方の挟持半体３ａに対して他方の挟持半体３ｂを反転回動させることで、てこの原理の支点となる突き当り保持部４の突き当り状態が解除されてこの原理の支点がなくなることによって操作部１を押圧操作しても対向挟持部２が離間する離反方向の弾性付勢が生じない状態となるので、環状リングなどで開き止めをしなくても先端側の対向挟持部２が閉じた状態を保持することができるので、コンパクトな収納状態を保持することができる。
【００４５】
このように、本実施例は、食材を挟持することができる離間使用状態からコンパクトに収納可能な揃い収納状態への切り替えを、一方の挟持半体３ａに対して他方の挟持半体３ｂを反転回動させるだけの極めて容易な操作で実現でき、しかも、このコンパクトに収納可能な揃い収納状態が保持されるので、収納中に対向挟持部２が開いてしまうこともない収納性に優れた画期的なトングとなる。
【００４６】
また、本実施例は、枢着部５を嵌脱自在な構成としたので、一方の挟持半体３ａと他方の挟持半体３ｂとを切り離して使用することもでき、より広い用途に用いることができる実用性に優れたトングとなる。
【００４７】
また、本実施例は、一体成形した合成樹脂製の一方の挟持半体３ａと、一体成形した合成樹脂製の他方の挟持半体３ｂとの二体の挟持半体３ａ，３ｂのみで構成される極めて簡易な構成としたので、極めて容易に製造できると共に、部品点数を限りなく少なくしたことで製造コストも低減でき安価な製品を提供することができる生産性に優れたトングとなる。
【００４８】
尚、本発明は、本実施例に限られるものではなく、各構成要件の具体的構成は適宜設計し得るものである。
【符号の説明】
【００４９】
１  操作部
２  対向挟持部
３ａ  一方の挟持半体
３ｂ  他方の挟持半体
４  突き当り保持部
４ａ  当接部
４ｂ  受け部
５  枢着部
６  回動軸
７  軸受部
【図１】
2012231948.tif 000003
【図２】
2012231948.tif 000004
【図３】
2012231948.tif 000005
【図４】
2012231948.tif 000006
【図５】
2012231948.tif 000007
【図６】
2012231948.tif 000008